(57)【要約】【課題】フレキシブル部の配線レイアウトが制限されず、あらゆる方向に対するフレキシブル部の変形をより容易にして、フレキシブル部の両端部分のカメラコアモジュールおよび基板対基板コネクタの各半田付け部にかかる負荷（ストレス）を抑制する。【解決手段】フレキシブル部１２に伸縮自在に折り曲げ加工が施されて一つの山折の折り目１２ａとこの両側に谷折の折り目１２ｂとが形成されているため、従来のように複数のスリットを設ける必要がなく、フレキシブル部１２の配線レイアウトが制限されない。また、折り曲げ加工による折り目１２ａ，１２ｂにより、あらゆる方向に対するフレキシブル部１２の変形をより容易にできて、フレキシブル部１２の両端部分のカメラコアモジュール１３および基板対基板コネクタ１４の各半田付け部１５にかかる負荷（ストレス）を抑制することができる。【選択図】図１
2010040720.tif 000002
【特許請求の範囲】
【請求項１】
伸縮自在に折り曲げ加工が施されているフレキシブルプリント配線板。
【請求項２】
両端部間に複数の平行内部配線が設けられた帯状のフレキシブル配線部を有し、前記折り曲げ加工が該フレキシブル配線部に施されている請求項１に記載のフレキシブルプリント配線板。
【請求項３】
前記折り曲げ加工が施された帯状のフレキシブル配線部の幅方向をＸ軸方向とし、該フレキシブル配線部の長手方向をＹ軸方向とする場合に、該折り曲げ加工が１軸方向または複数軸方向に施されている請求項１に記載のフレキシブルプリント配線板。
【請求項４】
前記折り曲げ加工による折り目が一つまたは複数形成されている請求項１に記載のフレキシブルプリント配線板。
【請求項５】
前記折り曲げ加工により前記Ｘ軸方向に山折の折り目および谷折の折り目のうちの少なくともいずれかが形成されている請求項３に記載のフレキシブルプリント配線板。
【請求項６】
前記折り曲げ加工により、前記Ｘ軸方向に山折の折り目が形成され、該山折の折り目の両側のうちの少なくとも片側に該Ｘ軸方向の谷折の折り目が形成されている請求項３に記載のフレキシブルプリント配線板。
【請求項７】
前記折り曲げ加工により前記Ｙ軸方向にのみ一つの山折の折り目が形成されている請求項３に記載のフレキシブルプリント配線板。
【請求項８】
前記Ｙ軸方向の山折の折り目の両側に、前記Ｘ軸方向の谷折の折り目がそれぞれ形成され、該Ｙ軸方向の山折の折り目の起点および終点から該Ｘ軸方向の谷折の折り目の起点および終点に至る各斜め方向の山折の折り目がそれぞれ形成されている請求項７に記載のフレキシブルプリント配線板。
【請求項９】
前記折り曲げ加工により伸縮自在な蛇腹折が一または複数個形成されている請求項３に記載のフレキシブルプリント配線板。
【請求項１０】
前記蛇腹折の折り目として、互いに直交する直交点が前記帯状のフレキシブル配線部の幅方向の中心位置にある二つの斜め方向の折り目が形成され、該斜め方向の折り目が直交する点を通過するＸ軸方向の谷折の折り目が形成され、該Ｘ軸方向の谷折の折り目の両側に前記斜め方向の折り目の起点または終点を通過するＸ軸方向の谷折の折り目がそれぞれ形成されている請求項３に記載のフレキシブルプリント配線板。
【請求項１１】
請求項１〜１０のいずれかに記載のフレキシブルプリント配線板の両側部分のうちの一方にカメラコアモジュールが搭載され、その他方にコネクタが搭載された電子機器モジュール。
【請求項１２】
請求項１〜１０のいずれかに記載のフレキシブルプリント配線板の両側部分のうちの一方に第１コネクタが搭載され、その他方に第２コネクタが搭載された電子機器モジュール。
【請求項１３】
請求項１〜１０のいずれかに記載のフレキシブルプリント配線板の両側部分のうちの一方に液晶表示パネルが搭載され、その他方にコネクタが搭載された電子機器モジュール。
【請求項１４】
請求項１〜１０のいずれかに記載のフレキシブルプリント配線板の両側部分のうちの一方にカメラコアモジュールが搭載され、その他方にコネクタが搭載されたカメラモジュールを画像入力デバイスとして撮像部に用いた電子情報機器。
【請求項１５】
請求項１１〜１３のいずれかに記載の電子機器モジュールが用いられた電子情報機器。
【発明の詳細な説明】
【技術分野】
【０００１】
本発明は、フレキシブルに配線可能な帯状のフレキシブル配線部（以下単にフレキシブル部という）が設けられたフレキシブルプリント配線板および、このフレキシブルプリント配線板の両端部分にそれぞれ、被写体からの画像光を光電変換して撮像するカメラコアモジュールと基板対基板コネクタとがそれぞれ設けられたカメラモジュールなどの電子機器モジュール、このカメラモジュールなどの電子機器モジュールを例えば画像入力デバイスとして撮像部などに用いた例えばデジタルビデオカメラおよびデジタルスチルカメラなどのデジタルカメラや、画像入力カメラ、スキャナ、ファクシミリ、カメラ付き携帯電話装置などの電子情報機器に関する。
【背景技術】
【０００２】
この種の従来のフレキシブルプリント配線板は、両端部間に複数の平行内部配線が設けられた帯状でフィルム状の配線板である。この従来のフレキシブルプリント配線板を用いたカメラモジュールについて説明する。
【０００３】
図１９（ａ）は、従来のフレキシブルプリント配線板を用いたカメラモジュールの構成例を概略的に示す斜視図であり、図１９（ｂ）は、図１９（ａ）のカメラモジュールの側面図である。
【０００４】
図１９（ａ）および図１９（ｂ）に示すように、この従来のフレキシブルプリント配線板１００は、部品搭載時の平坦度を確保するために多層構造部または補強板が両端に貼り付けられた多層構造・補強板貼り付け部１０１と、内部に複数の平行配線が設けられ、変形が比較的容易な帯状でフィルム状のフレキシブル部１０２とを有している。このフレキシブルプリント配線板１００の両端に多層構造・補強板貼り付け部１０１の一方にカメラコアモジュール１０３が半田付部１０５で固定されて搭載され、その他方に基板対基板コネクタ１０４が半田付部１０５で固定されて搭載されてカメラモジュールが構成されている。
【０００５】
携帯電話機内部でメイン基板（ＤＳＰの信号処理部）の基板対基板コネクタと、この基板対基板コネクタ１０４とを互いに電気的に連結し、カメラコアモジュール１０３を携帯電話機内部の所定の位置（入射光窓）に固定する場合などにこのカメラモジュールが用いられる。
【０００６】
この場合、メイン基板の基板対基板コネクタ１０４とカメラコアモジュール１０３の固定箇所（入射光窓）との位置関係は、メイン基板の携帯電話機内部での固定時のズレや、基板対基板コネクタ１０４のメイン基板への搭載ズレなどにより一定ではなく、また、フレキシブルプリント配線板１００上でのカメラコアモジュール１０３と基板対基板コネクタ１０４の位置関係もカメラコアモジュール１０３および基板対基板コネクタ１０４の搭載ズレなどにより一定ではない。これらの位置ズレはフレキシブルプリント配線板１００のフレキシブル部１０２の変形で吸収している。
【０００７】
また、このフレキシブル部１０２の変形を容易にするために、特許文献１に記載されているように、フレキシブルプリント配線板のフレキシブル部における複数の平行配線の配線間に複数のスリットをフレキシブル部内の配線方向に並行に形成する方法が提案されている。
【特許文献１】特開平１０−３３５７５９号公報
【発明の開示】
【発明が解決しようとする課題】
【０００８】
上記従来のフレキシブルプリント配線板１００の変形は、図１９（ａ）および図１９（ｂ）において、カメラコアモジュール１０３と基板対基板コネクタ１０４とを取り付ける場合に、その間のフレキシブル部１０２がＺ軸方向およびＹ軸方向のマイナス方向（近づく方向）については変形しやすいが、Ｙ軸方向のプラス方向（離れる方向）およびＸ軸方向（幅方向）については変形しにくく、Ｙ軸方向のプラス方向およびＸ軸方向の変形により、カメラコアモジュール１０３および基板対基板コネクタ１０４の各半田付け部１０５に負荷（ストレス）がかかり、半田付け部１０５にクラックが発生する虞があった。なお、ここでは、フレキシブル部１０２の幅方向をＸ軸方向とし、その長手方向をＹ軸方向とし、フレキシブル部１０２の面の上下方向をＺ軸方向としている。
【０００９】
特許文献１では、フレキシブルプリント配線板のフレキシブル部を曲げたり捻ったりしやすくするために、フレキシブル部における複数の平行配線の配線間に複数のスリットを形成しているが、複数のスリットによって配線レイアウトが制限されてしまうという問題があった。また、この場合にも、Ｘ軸方向については依然変形しにくく、無理にフレキシブル部をＸ軸方向（幅方向）に変形させると、カメラコアモジュールおよび基板対基板コネクタの各半田付け部に負荷（ストレス）がかかって半田付け部にクラックが発生する虞があった。
【００１０】
本発明は、上記従来の問題を解決するもので、従来のようにフレキシブル部の配線レイアウトが制限されず、あらゆる方向に対するフレキシブル部の変形をより容易にして、フレキシブル部の両端部分のカメラコアモジュールおよび基板対基板コネクタの各半田付け部にかかる負荷（ストレス）を抑制することができるフレキシブルプリント配線板、これを用いたカメラモジュールなどの電子機器モジュールおよび、このカメラモジュールなどの電子機器モジュールを例えば画像入力デバイスとして撮像部などに用いた例えばカメラ付き携帯電話装置などの電子情報機器を提供することを目的とする。
【課題を解決するための手段】
【００１１】
本発明のフレキシブルプリント配線板は、伸縮自在に折り曲げ加工が施されているものであり、そのことにより上記目的が達成される。
【００１２】
また、好ましくは、本発明のフレキシブルプリント配線板におけるフレキシブル配線部の両端部間に複数の平行内部配線が設けられた帯状のフレキシブル配線部を有し、前記折り曲げ加工が該フレキシブル配線部に施されている。
【００１３】
さらに、好ましくは、本発明のフレキシブルプリント配線板において、前記折り曲げ加工が施された帯状のフレキシブル配線部の幅方向をＸ軸方向とし、該フレキシブル配線部の長手方向をＹ軸方向とする場合に、該折り曲げ加工が１軸方向または複数軸方向に施されている。
【００１４】
さらに、好ましくは、本発明のフレキシブルプリント配線板における折り曲げ加工による折り目が一つまたは複数形成されている。
【００１５】
さらに、好ましくは、本発明のフレキシブルプリント配線板における折り曲げ加工により前記Ｘ軸方向に山折の折り目および谷折の折り目のうちの少なくともいずれかが形成されている。
【００１６】
さらに、好ましくは、本発明のフレキシブルプリント配線板における折り曲げ加工により、前記Ｘ軸方向に山折の折り目が形成され、該山折の折り目の両側のうちの少なくとも片側に該Ｘ軸方向の谷折の折り目が形成されている。
【００１７】
さらに、好ましくは、本発明のフレキシブルプリント配線板における折り曲げ加工により前記Ｙ軸方向にのみ一つの山折の折り目が形成されている。
【００１８】
さらに、好ましくは、本発明のフレキシブルプリント配線板におけるＹ軸方向の山折の折り目の両側に、前記Ｘ軸方向の谷折の折り目がそれぞれ形成され、該Ｙ軸方向の山折の折り目の起点および終点から該Ｘ軸方向の谷折の折り目の起点および終点に至る各斜め方向の山折の折り目がそれぞれ形成されている。
【００１９】
さらに、好ましくは、本発明のフレキシブルプリント配線板における折り曲げ加工により伸縮自在な蛇腹折が一または複数個形成されている。
【００２０】
さらに、好ましくは、本発明のフレキシブルプリント配線板における蛇腹折の折り目として、互いに直交する直交点が前記帯状のフレキシブル配線部の幅方向の中心位置にある二つの斜め方向の折り目が形成され、該斜め方向の折り目が直交する直交点を通過するＸ軸方向の谷折の折り目が形成され、該Ｘ軸方向の谷折の折り目の両側に前記斜め方向の折り目の起点または終点を通過するＸ軸方向の谷折の折り目がそれぞれ形成されている。
【００２１】
本発明の電子機器モジュールは、本発明の上記フレキシブルプリント配線板の両側部分のうちの一方にカメラコアモジュールが搭載され、その他方にコネクタが搭載されたものであり、そのことにより上記目的が達成される。
【００２２】
本発明の電子機器モジュールは、本発明の上記フレキシブルプリント配線板の両側部分のうちの一方に第１コネクタが搭載され、その他方に第２コネクタが搭載されたものであり、そのことにより上記目的が達成される。
【００２３】
本発明の電子機器モジュールは、本発明の上記フレキシブルプリント配線板の両側部分のうちの一方に液晶表示パネルが搭載され、その他方にコネクタが搭載されたものであり、そのことにより上記目的が達成される。
【００２４】
本発明の電子情報機器は、本発明の上記フレキシブルプリント配線板の両側部分のうちの一方にカメラコアモジュールが搭載され、その他方にコネクタが搭載されたカメラモジュールを画像入力デバイスとして撮像部に用いたものであり、そのことにより上記目的が達成される。
【００２５】
本発明の電子情報機器は、本発明の上記電子機器モジュールが用いられたものであり、そのことにより上記目的が達成される。
【００２６】
上記構成により、以下、本発明の作用を説明する。
【００２７】
本発明においては、フレキシブル部に伸縮自在に折り曲げ加工が施されているので、従来のように複数のスリットを設ける必要がなく、フレキシブル部の配線レイアウトが制限されない。また、折り曲げ加工による折り目により、あらゆる方向に対するフレキシブル部の変形をより容易にすることが可能となって、フレキシブル部の両端部分のカメラコアモジュールおよび基板対基板コネクタの各半田付け部にかかる負荷（ストレス）を抑制することが可能となる。
【発明の効果】
【００２８】
以上により、本発明によれば、フレキシブル部に伸縮自在に折り曲げ加工が施されているため、従来のように複数のスリットを設ける必要がなく、フレキシブル部の配線レイアウトが制限されない。また、折り曲げ加工による折り目により、あらゆる方向に対するフレキシブル部の変形をより容易にできて、フレキシブル部の両端部分のカメラコアモジュールおよび基板対基板コネクタの各半田付け部にかかる負荷（ストレス）を抑制することができる。
【発明を実施するための最良の形態】
【００２９】
以下に、本発明のフレキシブルプリント配線板およびこれを用いたカメラモジュールの実施形態１、２および、このカメラモジュールなどの電子機器モジュールを例えば画像入力デバイスとして撮像部などに用いた例えばカメラ付き携帯電話装置などの電子情報機器の実施形態３について図面を参照しながら詳細に説明する。
【００３０】
（実施形態１）
図１は、本発明の実施形態１に係るフレキシブルプリント配線板を用いたカメラモジュールの構成例を概略的に示す斜視図である。図２（ａ）は、図１のカメラモジュールの平面図、図２（ｂ）は、図１のカメラモジュールの側面図である。
【００３１】
図１、図２（ａ）および図２（ｂ）において、本実施形態１のフレキシブルプリント配線板１０は、部品搭載時の平坦度を確保するために樹脂製の多層構造部または補強板が両端部側の裏面に貼り付けられた多層構造または補強板貼り付け部１１と、両端部間を複数の内部配線で接続され、折り曲げ加工が施されて伸縮自在で変形が容易な帯状でフィルム状のフレキシブル部１２とを有している。このフレキシブルプリント配線板１０の両端の多層構造または補強板貼り付け部１１の一方にカメラコアモジュール１３が半田付部１５で固定されて搭載され、その他方に基板対基板コネクタ１４が半田付部１５で固定されて搭載されて、それらが複数の平行内部配線で接続されたカメラモジュール１が構成されている。携帯電話機内部で、図示しないメイン基板の基板対基板コネクタ（図示せず）に、この基板対基板コネクタ１４を挿入して互いに電気的に接続し、カメラコアモジュール１３を携帯電話機内部の所定の位置に固定している。
【００３２】
両端部間に、複数の平行内部配線が設けられた帯状のフレキシブル部１２に、折り曲げ加工が施されている。この折り曲げ加工が施された帯状のフレキシブル部１２の幅方向をＸ軸方向とし、フレキシブル部１２の長手方向をＹ軸方向とし、フレキシブル部１２の平面の上下方向をＺ軸方向とする場合に、折り曲げ加工は複数軸方向に複数施されている。ここでは、フレキシブル部１２の長手方向（Ｙ軸方向）の中央部分に互いに直交する幅方向（Ｘ軸方向）に一つの山折の折り目１２ａを付け、この山折の折り目１２ａの両側に谷折の折り目１２ｂがそれぞれ付けられている。この場合、点線を山折り、一点鎖線を谷折り加工として示している。この加工方法としては、同形状に加工された凸金型と、凹金型の間にフレキシブル部１２を挟みこむことにより、容易に折り曲げ加工することができる。この折り曲げ加工を施すことにより、Ｚ軸方向およびＹ軸方向の変形が容易となる。また、Ｘ軸方向の変形も容易となる。
【００３３】
上記構成の一つの山折の折り目１２ａによって、本実施形態１のフレキシブルプリント配線板１０の各多層構造または補強板貼り付け部１１にそれぞれ、カメラコアモジュール１３と基板対基板コネクタ１４とをそれぞれ半田付部１５で固定して搭載したカメラモジュール１を、携帯電話機内部でメイン基板の基板対基板コネクタ（図示せず）と電気的に接続し、カメラコアモジュール１３を携帯電話機内部の所定位置（入射光窓位置）に固定する。この場合にも、フレキシブルプリント配線板１０のフレキシブル部１２の変形がより容易になる。これによって、Ｘ軸方向にもある程度のズレに追随できて、主基板対基板コネクタ１４およびカメラコアモジュール１３の各半田付部１５に従来のような負荷（ストレス）が軽減されて、主基板対基板コネクタ１４およびカメラコアモジュール１３の各半田付部１５にクラックが発生するのを防ぐことができる。
【００３４】
カメラコアモジュール１３と基板対基板コネクタ１４との取り付け位置が回転方向の場合に、図３（ａ）および図３（ｂ）のように上記構成の一つの山折の折り目１２ａの幅方向の一方が閉じて他方が開くことによって、ある程度はその回転方向に追従させることができる。また、カメラコアモジュール１３と基板対基板コネクタ１４との取り付け位置がＸ軸方向にずれている場合に、図４（ａ）および図４（ｂ）のように上記構成の一つの山折の折り目１２ａと二つの谷折の折り目１２ｂによって、ある程度はそのＸ軸方向に追従させることができる。
【００３５】
なお、本実施形態１では、一つの山折と二つの谷折をＸ軸方向にフレキシブル部１２に形成する場合について説明したが、これに限らず、折り曲げ加工により、Ｘ軸方向に山折の折り目が形成され、山折の折り目の両側のうちの少なくとも片側にＸ軸方向の谷折の折り目が形成されていてもよい。また、一つの山折だけであってもよい。さらに、連続した二つの山折や、連続した三つの山折、さらには連続した四つ以上の山折と谷折との組合せをＸ軸方向にフレキシブル部１２に形成する場合にも、あらゆる方向に対するフレキシブル部１２の変形を、より容易にすることができて、カメラコアモジュール１３および基板対基板コネクタ１４の各半田付け部１５にかかる負荷（ストレス）をより抑制することができる。
【００３６】
また、本実施形態１では、一つの山折二つの谷折をＸ軸方向にフレキシブル部１２に形成したが、これに限らず、図５（ａ）および図５（ｂ）のように一つの山折の折り目１２ｂをＹ軸方向（Ｘ軸方向に直交する方向）に所定長さだけ形成するように構成してもよい。このように、上記構成の一つの山折の折り目１２ｂをＹ軸方向に形成した場合、図６に示すように回転方向に曲げて追従させることができる。また、カメラコアモジュール１３と基板対基板コネクタ１４との取り付け位置がＸ軸方向（フレキシブル部１２の幅方向）にずれている場合にも、図７（ａ）および図７（ｂ）のように上記構成の一つの山折の折り目１２ｂによって、ある程度はそのＸ軸方向に追従させることができる。
【００３７】
（実施形態２）
図８は、本発明の実施形態２に係るフレキシブルプリント配線板を用いたカメラモジュールの構成例を概略的に示す斜視図である。図９（ａ）は、図８のフレキシブルプリント配線を用いたカメラモジュール板の平面図、図９（ｂ）は、図８のフレキシブルプリント配線板を用いたカメラモジュールの側面図である。
【００３８】
図８、図９（ａ）および図９（ｂ）において、本実施形態２のフレキシブルプリント配線板２０は、部品搭載時の平坦度を確保するために多層構造部または補強板が両端部側の裏面に貼り付けられた多層構造または補強板貼り付け部２１と、両端部間を複数の内部配線で接続され、折り曲げ加工が施されて伸縮自在で変形が容易な帯状でフィルム状のフレキシブル部２２とを有している。このフレキシブルプリント配線板２０の両端の多層構造または補強板貼り付け部２１の一方に、カメラコアモジュール２３が半田付部２５で固定されて搭載され、その他方に基板対基板コネクタ２４が半田付部２５で固定されて搭載されて、それらが複数の平行内部配線で接続されたカメラモジュール２が構成されている。携帯電話機内部で、図示しないメイン基板の基板対基板コネクタ（図示せず）に、この基板対基板コネクタ２４を挿入して互いに電気的に接続し、カメラコアモジュール２３を携帯電話機内部の所定の入射光窓位置に固定している。
【００３９】
フレキシブル部２２は、その長手方向（Ｙ軸方向）の中央部分に、その長手方向（Ｙ軸方向）に伸縮自在な蛇腹折の折り目２２ａを二つ連続して付けている。この場合、点線を山折り、一点鎖線を谷折り加工として示している。この加工方法としては、前述したように、同形状に加工された凸金型と、凹金型の間にフレキシブル部２２を挟みこむことにより、容易に折り曲げ加工することができる。この折り曲げ加工を施すことにより、Ｚ軸方向（上下方向）およびＹ軸方向だけではなく、Ｘ軸方向を含めた全軸方向の変形が容易となる。
【００４０】
このように、折り曲げ加工により伸縮自在な蛇腹折の折り目２２ａが複数個（ここでは二つ）形成されている。この蛇腹折の折り目２２ａとして、互いに直交する直交点２２ｂが帯状のフレキシブル部２２の幅方向の中心位置にある二つの斜め方向の折り目２２ｃが形成され、斜め方向の折り目２２ｃが直交する直交点２２ｂを通過するＸ軸方向の谷折の折り目２２ｄが形成され、Ｘ軸方向の谷折の折り目２２ｄの両側に斜め方向の折り目の起点または終点を通過するＸ軸方向の谷折の折り目２２ｅがそれぞれ形成されている。
【００４１】
上記構成の連続した蛇腹折の折り目２２ａによって、本実施形態２のフレキシブルプリント配線板２０の各多層構造または補強板貼り付け部２１にそれぞれ、カメラコアモジュール２３と基板対基板コネクタ２４とをそれぞれ半田付部２５で固定して搭載したカメラモジュール２を、携帯電話機内部でメイン基板の基板対基板コネクタ（図示せず）と電気的に接続し、カメラコアモジュール２３を携帯電話機内部の所定の入射光窓位置に固定する場合、フレキシブルプリント配線板２０のフレキシブル部２２のあらゆる方向への変形が容易となる。これによって、基板対基板コネクタ２４およびカメラコアモジュール２３の各半田付部２５に従来のような負荷（ストレス）が全くかからず、半田付部２５にクラックが発生するのを防ぐことができる。
【００４２】
カメラコアモジュール２３と基板対基板コネクタ２４との取り付け位置が回転方向の場合に、図１０（ａ）および図１０（ｂ）のように上記構成の二つの蛇腹折の折り目２２ａの幅方向一方側が閉じて他方が開くことによって、その回転方向に大幅に追従させることができる。また、カメラコアモジュール２３と基板対基板コネクタ２４との取り付け位置がＸ軸方向にずれている場合に、図１１（ａ）および図１１（ｂ）のように上記構成の二つの蛇腹折の折り目２２ａによって、そのＸ軸方向のズレに大幅に追従させることができる。
【００４３】
なお、本実施形態２では、フレキシブル部２２の長手方向（Ｙ軸方向）の中央部分に、図９（ａ）および図９（ｂ）のように蛇腹折の折り目２２ａを二つ連続して形成したが、これに限らず、図１２（ａ）および図１２（ｂ）のように蛇腹折の折り目２２ａを一つだけ形成してもよく、または、蛇腹折の折り目２２ａを三つ以上の複数個連続して形成してもよい。蛇腹折の折り目２２ａを一つだけ形成した場合、カメラコアモジュール２３と基板対基板コネクタ２４との取り付け位置が回転方向の場合に、図１３（ａ）および図１３（ｂ）のように上記構成の一つの蛇腹折の折り目２２ａの幅方向一方側が閉じて他方が開くことによって、その回転方向にある程度は追従させることができる。また、カメラコアモジュール２３と基板対基板コネクタ２４との取り付け位置がＸ軸方向にずれている場合にも、図１４（ａ）および図１４（ｂ）のように上記構成の一つの蛇腹折の折り目２２ａによって、ある程度はそのＸ軸方向に追従させることができる。
【００４４】
さらに、前述した図５（ａ）および図５（ｂ）の一つの山折の折り目１２ｃをＹ軸方向（Ｘ軸方向に直交する方向）に所定長さだけ形成し、これに加えて、図１５（ａ）および図１５（ｂ）のようにフレキシブル部２２の幅方向の谷折の折り目１２ｄおよび１２ｄを設ければ、前述した図５（ａ）および図５（ｂ）の場合よりも格段に、図１６のように回転方向に追従させることができる。また、カメラコアモジュール２３と基板対基板コネクタ２４との取り付け位置がＸ軸方向にずれている場合に、図１７（ａ）および図１７（ｂ）のように、そのＸ軸方向のズレに大幅に追従させることができる。
【００４５】
即ち、Ｙ軸方向にのみ山折の折り目１２ｃの長手方向両側に、Ｘ軸方向の谷折の折り目１２ｄがそれぞれ形成され、Ｙ軸方向の山折の折り目１２ｃの起点および終点からＸ軸方向の谷折の折り目１２ｄの起点および終点に至る各斜め方向の山折の折り目１２ｅがそれぞれ形成されている。
【００４６】
以上により、本実施形態１、２によれば、フレキシブル部１２または２２に伸縮自在に折り曲げ加工が施されて山折や蛇腹折（これらを組み合わせてもよい）が形成されているため、従来のように複数のスリットを設ける必要がなく、フレキシブル部１２の配線レイアウトが制限されない。また、折り曲げ加工による折り目により、あらゆる方向に対するフレキシブル部１２または２２の変形をより容易にできて、フレキシブル部１２または２２の両端部分のカメラコアモジュール１３または２３、および基板対基板コネクタ１４または２４の各半田付け部１５または２５にかかる負荷（ストレス）を抑制することができる。
【００４７】
なお、上記実施形態１では、折り曲げ加工により山折を一つ形成する場合について説明し、上記実施形態２では、折り曲げ加工により蛇腹折を二つ連続して形成する場合について説明しとしたが、これに限らず、伸縮自在に折り曲げ加工が施されていればよい。これによって、フレキシブル部の配線レイアウトが制限されず、あらゆる方向に対するフレキシブル部の変形をより容易にして、フレキシブル部の両端部分のカメラコアモジュールおよび基板対基板コネクタの各半田付け部にかかる負荷（ストレス）を抑制する本発明の目的を達成することができる。この折り曲げ加工は１軸方向または複数軸方向に施されていればよく、一つまたは複数個施されていればよい。
【００４８】
（実施形態３）
図１８は、本発明の実施形態３として、本発明の実施形態１のカメラモジュールを含む固体撮像装置を撮像部に用いた電子情報機器の概略構成例を示すブロック図である。
【００４９】
図１８において、本実施形態３の電子情報機器９０は、上記実施形態１、２のいずれかのカメラモジュール１０または２０からの撮像信号を各種信号処理してカラー画像信号を得る固体撮像装置９１と、この固体撮像装置９１からのカラー画像信号を記録用に所定の信号処理した後にデータ記録可能とする記録メディアなどのメモリ部９２と、この固体撮像装置９１からのカラー画像信号を表示用に所定の信号処理した後に液晶表示画面などの表示画面上に表示可能とする液晶表示装置などの表示手段９３と、この固体撮像装置９１からのカラー画像信号を通信用に所定の信号処理をした後に通信処理可能とする送受信装置などの通信手段９４とを有している。なお、この電子情報機器９０として、これに限らず、固体撮像装置９１の他に、メモリ部９２と、表示手段９３と、通信手段９４と、プリンタなどの画像出力装置９５とのうちの少なくともいずれかを有していてもよい。
【００５０】
この電子情報機器９０としては、前述したように例えばデジタルビデオカメラ、デジタルスチルカメラなどのデジタルカメラや、監視カメラ、ドアホンカメラ、車載用後方監視カメラなどの車載用カメラおよびテレビジョン電話用カメラなどの画像入力カメラ、スキャナ装置、ファクシミリ装置、カメラ付き携帯電話装置および携帯端末装置（ＰＤＡ）などの画像入力デバイスを有した電子機器が考えられる。
【００５１】
したがって、本実施形態２によれば、この固体撮像装置９１からのカラー画像信号に基づいて、これを表示画面上に良好に表示したり、これを紙面にて画像出力装置９５により良好にプリントアウト（印刷）したり、これを通信データとして有線または無線にて良好に通信したり、これをメモリ部９２に所定のデータ圧縮処理を行って良好に記憶したり、各種データ処理を良好に行うことができる。
【００５２】
なお、上記本実施形態１、２では、フレキシブル部２２の両端に、カメラコアモジュール２３と基板対基板コネクタ２４とを取り付けてカメラモジュール１または２としたが、これに限らず、フレキシブル部２２の両端に、基板対基板コネクタ２４と基板対基板コネクタ２４とを取り付けてもよく、また、フレキシブル部２２の両端に、基板対基板コネクタ２４と液晶表示パネルとを取り付けてもよい。これらを総称して電子機器モジュールとする。
【００５３】
即ち、上記本実施形態１、２のように、電子機器モジュールとして、フレキシブルプリント配線板１０または２０の両側部分のうちの一方にカメラコアモジュール１３または２３が搭載され、その他方にコネクタ１４または２４が搭載された場合の他に、フレキシブルプリント配線板１０または２０の両側部分のうちの一方にコネクタが搭載され、その他方にも別のコネクタが搭載された電子機器モジュールを電子情報機器９０内に用いてもよい。また、図１８の表示手段９３に破線で示すように、フレキシブルプリント配線板１０または２０の両側部分のうちの一方に液晶表示パネル３が搭載され、その他方にコネクタが搭載された電子機器モジュールを表示手段９３内に用いてもよい。
【００５４】
以上のように、本発明の好ましい実施形態１〜３を用いて本発明を例示してきたが、本発明は、この実施形態１〜３に限定して解釈されるべきものではない。本発明は、特許請求の範囲によってのみその範囲が解釈されるべきであることが理解される。当業者は、本発明の具体的な好ましい実施形態１〜３の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００５５】
本発明は、フレキシブルに配線可能な帯状のフレキシブル配線部（以下単にフレキシブル部という）が設けられたフレキシブルプリント配線板および、このフレキシブルプリント配線板の両端部分にそれぞれ、被写体からの画像光を光電変換して撮像するカメラコアモジュールと基板対基板コネクタとがそれぞれ設けられたカメラモジュールなどの電子機器モジュール、このカメラモジュールなどの電子機器モジュールを例えば画像入力デバイスとして撮像部などに用いた例えばデジタルビデオカメラおよびデジタルスチルカメラなどのデジタルカメラや、画像入力カメラ、スキャナ、ファクシミリ、カメラ付き携帯電話装置などの電子情報機器の分野において、あらゆる方向に対するフレキシブル部の変形を容易にして、カメラコアモジュールおよび基板対基板コネクタの各半田付け部にかかる負荷（ストレス）を抑制することができる。
【図面の簡単な説明】
【００５６】
【図１】本発明の実施形態１に係るフレキシブルプリント配線板を用いたカメラモジュールの構成例を概略的に示す斜視図である。
【図２】（ａ）は、図１のカメラモジュールの平面図、（ｂ）は、図１のカメラモジュールの側面図である。
【図３】（ａ）は、図１のフレキシブル部を回転させた場合の平面図、（ｂ）は、図１のフレキシブル部を回転させた場合の側面図である。
【図４】（ａ）は、図１のフレキシブル部をＸ軸方向に互いにずらせた場合の平面図、（ｂ）は、図１のフレキシブル部をＸ軸方向に互いにずらせた場合の側面図である。
【図５】（ａ）は、本発明の実施形態１の変形例として、カメラモジュールのフレキシブル部にＹ軸方向の山折の折り目を付けた場合の平面図、（ｂ）は、本発明のカメラモジュールのフレキシブル部にＹ軸方向の山折の折り目を付けた場合の側面図である。
【図６】（ａ）は、図５のフレキシブル部を回転させた場合の平面図、（ｂ）は、図５のフレキシブル部を回転させた場合の側面図である。
【図７】（ａ）は、図５のフレキシブル部をＸ軸方向に互いにずらせた場合の平面図、（ｂ）は、図５のフレキシブル部をＸ軸方向に互いにずらせた場合の側面図である。
【図８】本発明の実施形態２に係るフレキシブルプリント配線板を用いたカメラモジュールの構成例を概略的に示す斜視図である。
【図９】（ａ）は、図８のカメラモジュールの平面図、（ｂ）は、図８のカメラモジュールの側面図である。
【図１０】（ａ）は、図８のフレキシブル部を回転させた場合の平面図、（ｂ）は、図８のフレキシブル部を回転させた場合の側面図である。
【図１１】（ａ）は、図８のフレキシブル部をＸ軸方向に互いにずらせた場合の平面図、（ｂ）は、図８のフレキシブル部をＸ軸方向に互いにずらせた場合の側面図である。
【図１２】（ａ）は、図８のフレキシブル部の二つの蛇腹折を一つにした場合の平面図、（ｂ）は、図８のフレキシブル部の二つの蛇腹折を一つにした場合の側面図である。
【図１３】（ａ）は、図１２のフレキシブル部を回転させた場合の平面図、（ｂ）は、図１２のフレキシブル部を回転させた場合の側面図である。
【図１４】（ａ）は、図１２のフレキシブル部をＸ軸方向に互いにずらせた場合の平面図、（ｂ）は、図１２のフレキシブル部をＸ軸方向に互いにずらせた場合の側面図である。
【図１５】（ａ）は、図５のフレキシブル部のＹ軸方向の山折の折り目にさらに別の折り目を付けた場合の平面図、（ｂ）は、図５のフレキシブル部のＹ軸方向の山折の折り目にさらに別の折り目を付けた場合の側面図である。
【図１６】（ａ）は、図１５のフレキシブル部を回転させた場合の平面図、（ｂ）は、図１５のフレキシブル部を回転させた場合の側面図である。
【図１７】（ａ）は、図１５のフレキシブル部をＸ軸方向に互いにずらせた場合の平面図、（ｂ）は、図１５のフレキシブル部をＸ軸方向に互いにずらせた場合の側面図である。
【図１８】本発明の実施形態３として、本発明の実施形態１のセンサモジュールを含む固体撮像装置を撮像部に用いた電子情報機器の概略構成例を示すブロック図である。
【図１９】（ａ）は従来のフレキシブルプリント配線板を用いたカメラモジュールの構成例を概略的に示す斜視図、（ｂ）は、（ａ）のカメラモジュールの側面図である。
【符号の説明】
【００５７】
１、２  カメラモジュール
１１、２１  多層構造または補強板貼り付け部
１２、２２  フレキシブル部
１２ａ  山折の折り目（一点鎖線）
１２ｂ  谷折の折り目（破線）
１３、２３  カメラコアモジュール
１４、２４  基板対基板コネクタ
１５、２５  半田付部
１０，２０  フレキシブルプリント配線板
９０  電子情報機器
９１  固体撮像装置
９２  メモリ部
９３  表示手段
９４  通信手段
９５  画像出力手段
【図１】
2010040720.tif 000003
【図２】
2010040720.tif 000004
【図３】
2010040720.tif 000005
【図４】
2010040720.tif 000006
【図５】
2010040720.tif 000007
【図６】
2010040720.tif 000008
【図７】
2010040720.tif 000009
【図８】
2010040720.tif 000010
【図９】
2010040720.tif 000011
【図１０】
2010040720.tif 000012
【図１１】
2010040720.tif 000013
【図１２】
2010040720.tif 000014
【図１３】
2010040720.tif 000015
【図１４】
2010040720.tif 000016
【図１５】
2010040720.tif 000017
【図１６】
2010040720.tif 000018
【図１７】
2010040720.tif 000019
【図１８】
2010040720.tif 000020
【図１９】
2010040720.tif 000021